(57)【要約】【課題】家庭において水の使用量は大きく変動するため、半透膜モジュールで処理する場合、処理水の不足、または浄水装置の過大化が問題となっている。【解決手段】水の使用量に応じて、半透膜モジュールに供給する水道水の供給圧力および／または流量を制御することで、安定的に蛇口へ水を供給することが可能となり、送液制御手段（送液ポンプ）の機械的負荷を低減し、設備の過大化を防止することができる。【選択図】図１
2017042740.tif 000002
【特許請求の範囲】
【請求項１】
浄水場や地下水などの水源から送水された水道水を取り込み、該水道水を一または複数の水道供給口へ供給する浄水装置であって、
該水道水を半透膜によって処理水と濃縮水とに分離する半透膜モジュールと、
該水道水を半透膜モジュールに供給する半透膜供給ラインと、
半透膜モジュールの処理水を蛇口へ供給する処理水供給ラインと
処理水の流量および／または処理水供給ラインの圧力に応じて、半透膜供給ラインおよび／または半透膜処理水ラインの送液圧および／または送液流量を制御する圧力および／または流量制御手段と、
半透膜供給ラインに設置した送液制御手段と、
を有することを特徴とする浄水装置。
【請求項２】
浄水場や地下水などの水源から送水された水道水を取り込み、該水道水を一または複数の水道供給口へ供給する浄水処理装置であって、
該水道水を半透膜によって処理水と濃縮水とに分離する半透膜モジュールと、
該水道水を半透膜モジュールに供給する半透膜供給ラインと、
半透膜モジュールの処理水を蛇口へ供給する処理水供給ラインと
水道水および／または処理水の水質に応じて、半透膜供給ラインおよび／または半透膜処理水ラインの送液圧および／または送液流量を制御する圧力および／または流量制御手段と、
半透膜供給ラインに設置した送液制御手段と
を有することを特徴とする浄水装置。
【請求項３】
前記半透膜供給ラインが少なくとも一つの供給ラインであって、前記半透膜供給ラインのうち少なくとも一つに送液ポンプを有し、前記送液制御手段が処理水の使用水量に応じて前記送液ポンプを稼動するものであることを特徴とする請求項１または２に記載の浄水装置。
【請求項４】
前記圧力計と蛇口の間に前記該処理水中の塩素系化合物および／またはフッ素系化合物を除去する活性炭ユニットおよび／または吸着剤ユニットを有することを特徴とする請求項１〜３のいずれかに記載の浄水装置。
【請求項５】
前記半透膜供給ラインに該水道水中の濁質を除去する除濁手段を有することを特徴とする請求項１〜４のいずれかに記載の浄水装置。
【請求項６】
前記除濁手段がＵＦ膜モジュールおよび／またはＭＦ膜モジュールであることを特徴とする請求項５に記載の浄水装置。
【請求項７】
前記除濁手段への該水道水供給ラインに、送液ポンプを設置することを特徴とする、請求項５または６に記載の浄水装置。
【請求項８】
前記除濁手段のＵＦ膜モジュールおよび／またはＭＦ膜モジュールについて、膜様式が中空糸膜であり、膜強度が４．９Ｎ以上であることを特徴とする、請求項１〜７のいずれかに記載の浄水装置。
【請求項９】
前記除濁手段の処理水量Ｘと半透膜モジュールの処理水量Ｙの比（Ｘ／Ｙ）が、１以上、１０以下となるように、半透膜供給ラインおよび／または半透膜処理水ラインの送液圧および／または送液流量を制御する圧力および／または流量制御手段と、を有することを特徴とする請求項１〜８のいずれかに記載の浄水装置。
【請求項１０】
浄水場や地下水などの水源から送水された水道水を取り込み、該水道水を一または複数の水道供給口へ供給する浄水処理方法であって、
該水道水を半透膜供給ラインを通じて半透膜モジュールに供給し、
前記半透膜モジュールによって処理水と濃縮水とに分離し、
前記半透膜モジュールの処理水を処理水供給ラインを通じて蛇口へ供給し、
前記処理水の流量および／または処理水供給ラインの圧力に応じて、半透膜供給ラインおよび／または半透膜処理水ラインの送液圧および／または送液流量を制御し、
処理水の使用水量に応じて、半透膜供給ラインを通じて半透膜モジュールに送液する水道水の量を制御する
ことを特徴とする浄水処理方法。
【請求項１１】
浄水場や地下水などの水源から送水された水道水を取り込み、該水道水を一または複数の水道供給口へ供給する浄水処理方法であって、
該水道水を半透膜供給ラインを通じて半透膜モジュールに供給し、
前記半透膜モジュールによって処理水と濃縮水とに分離し、
前記半透膜モジュールの処理水を処理水供給ラインを通じて蛇口へ供給し、
前記水道水および／または処理水の水質に応じて、半透膜供給ラインおよび／または半透膜処理水ラインの送液圧および／または送液流量を制御し、
処理水の使用水量に応じて、半透膜供給ラインを通じて半透膜モジュールに送液する水道水の量を制御する
ことを特徴とする浄水装置の運転方法。
【発明の詳細な説明】
【技術分野】
【０００１】
本発明は、水道水や地下水などを半透膜により浄化する浄水装置に関する。
【背景技術】
【０００２】
従来、水道水や地下水など含まれる不純物や微生物を除去し、飲料用などの生活用水などに使用するためのきれいな水を得るために、分離膜、その中でも逆浸透膜を利用した浄水器が提供されている。
【０００３】
従来の逆浸透膜を用いた浄水器では、例えば特許文献１に示されるように、膜処理水と、水道水と濃縮水の混合水を別々に供給する技術が示されている。また、特許文献２では、耐塩素性の半透膜を使用して半透膜処理の前処理を軽減している。特許文献３では、逆浸透膜処理の後にＵＦ膜処理を行い、微生物汚染リスクを低減した安全性の高い浄水を供給する。特許文献４では、膜処理水をタンクに貯留し、その量に応じて膜処理を行っている。
【先行技術文献】
【特許文献】
【０００４】
【特許文献１】特許第３２７５４０９号公報
【特許文献２】特許第３８７７８４６号公報
【特許文献３】特開２００５−２０５２５６号公報
【特許文献４】特許第５３３９７０２号公報
【発明の概要】
【発明が解決しようとする課題】
【０００５】
本発明者らの知見によれば、特許文献１では、飲用以外の水は膜処理されておらず、更に膜濃縮水が混合されているため、生活水として望まれる水が得られない、という問題があった。地下水を原水としている水道水は、硬度が高めの傾向にあり、石灰質分等の析出が問題となるが、特許文献１に開示された技術では解決できないという課題があった。
また、特許文献２では、ＲＯ透過水の使用量に応じてスムーズに処理方法を変更することが困難であった。ＲＯ透過水量を増やす場合は、膜面積を増やす必要があり、膜装置が大型化する課題があった。
特許文献３では、膜で処理可能な水量は限られるため、利用できる用途が限られる、また、ＲＯ透過水を使用する度に、昇圧ポンプの稼動をする必要があり、ポンプの機械的な負荷が高かった。
特許文献４では、膜処理水をタンクに貯留するため、タンク内でバイオファウリングが発生する問題があった。また、ＲＯ透過水を使用する度に、送液ポンプの稼動をする必要があり、ポンプの機械的な負荷が高かった。
【０００６】
市販のＲＯ浄水器などは、半透膜モジュールへ水道水を供給するのに、送液ポンプを設けているものがある。この場合、蛇口から半透膜モジュールの処理水を少量使用する場合でも、送液ポンプを稼動させる必要がある。生活水は蛇口から水を間欠的に使用することが多く、そのため送液ポンプを稼動／停止させる頻度は多くなり、機械的は負荷が大きくなることで、故障などの可能性も増加してしまう課題があった。
【０００７】
また、膜ろ過はせずに、または膜処理水を循環して、送液ポンプを連続運転して必要な水量のみ蛇口から使用することもできるが、送液ポンプの煩雑な稼動／停止の操作はなくなるが、膜処理水を循環するため送液ポンプを連続的に運転する必要がある。また、送液ポンプを稼動するための電力も必要となるため、運転コスト高の課題があった。
【課題を解決するための手段】
【０００８】
前記課題を解決するために、本発明は、以下の（１）〜（１１）の構成をとる。
（１）浄水場や地下水などの水源から送水された水道水を取り込み、該水道水を一または複数の水道供給口へ供給する浄水装置であって、
該水道水を半透膜によって処理水と濃縮水とに分離する半透膜モジュールと、
該水道水を半透膜モジュールに供給する半透膜供給ラインと、
半透膜モジュールの処理水を蛇口へ供給する処理水供給ラインと
処理水の流量および／または処理水供給ラインの圧力に応じて、半透膜供給ラインおよび／または半透膜処理水ラインの送液圧および／または送液流量を制御する圧力および／または流量制御手段と、
半透膜供給ラインに設置した送液制御手段と、
を有することを特徴とする浄水装置。
（２）浄水場や地下水などの水源から送水された水道水を取り込み、該水道水を一または複数の水道供給口へ供給する浄水処理装置であって、
該水道水を半透膜によって処理水と濃縮水とに分離する半透膜モジュールと、
該水道水を半透膜モジュールに供給する半透膜供給ラインと、
半透膜モジュールの処理水を蛇口へ供給する処理水供給ラインと
水道水および／または処理水の水質に応じて、半透膜供給ラインおよび／または半透膜処理水ラインの送液圧および／または送液流量を制御する圧力および／または流量制御手段と、
半透膜供給ラインに設置した送液制御手段と
を有することを特徴とする浄水装置。
（３）前記半透膜供給ラインが少なくとも一つの供給ラインであって、前記半透膜供給ラインのうち少なくとも一つに送液ポンプを有し、前記送液制御手段が処理水の使用水量に応じて前記送液ポンプを稼動するものであることを特徴とする（１）または（２）に記載の浄水装置。
（４）前記圧力計と蛇口の間に前記該処理水中の塩素系化合物および／またはフッ素系化合物を除去する活性炭ユニットおよび／または吸着剤ユニットを有することを特徴とする（１）〜（３）のいずれかに記載の浄水装置。
（５）前記半透膜供給ラインに該水道水中の濁質を除去する除濁手段を有することを特徴とする（１）〜（４）のいずれかに記載の浄水装置。
（６）前記除濁手段がＵＦ膜モジュールおよび／またはＭＦ膜モジュールであることを特徴とする（５）に記載の浄水装置。
（７）前記除濁手段への該水道水供給ラインに、送液ポンプを設置することを特徴とする、（５）または（６）に記載の浄水装置。
（８）前記除濁手段のＵＦ膜モジュールおよび／またはＭＦ膜モジュールについて、膜様式が中空糸膜であり、膜強度が４．９Ｎ以上であることを特徴とする、（１）〜（７）のいずれかに記載の浄水装置。
（９）前記除濁手段の処理水量Ｘと半透膜モジュールの処理水量Ｙの比（Ｘ／Ｙ）が、１以上、１０以下となるように、半透膜供給ラインおよび／または半透膜処理水ラインの送液圧および／または送液流量を制御する圧力および／または流量制御手段と、を有することを特徴とする（１）〜（８）のいずれかに記載の浄水装置。
（１０）浄水場や地下水などの水源から送水された水道水を取り込み、該水道水を一または複数の水道供給口へ供給する浄水処理方法であって、
該水道水を半透膜供給ラインを通じて半透膜モジュールに供給し、
前記半透膜モジュールによって処理水と濃縮水とに分離し、
前記半透膜モジュールの処理水を処理水供給ラインを通じて蛇口へ供給し、
前記処理水の流量および／または処理水供給ラインの圧力に応じて、半透膜供給ラインおよび／または半透膜処理水ラインの送液圧および／または送液流量を制御し、
処理水の使用水量に応じて、半透膜供給ラインを通じて半透膜モジュールに送液する水道水の量を制御する
ことを特徴とする浄水処理方法。
（１１）浄水場や地下水などの水源から送水された水道水を取り込み、該水道水を一または複数の水道供給口へ供給する浄水処理方法であって、
該水道水を半透膜供給ラインを通じて半透膜モジュールに供給し、
前記半透膜モジュールによって処理水と濃縮水とに分離し、
前記半透膜モジュールの処理水を処理水供給ラインを通じて蛇口へ供給し、
前記水道水および／または処理水の水質に応じて、半透膜供給ラインおよび／または半透膜処理水ラインの送液圧および／または送液流量を制御し、
処理水の使用水量に応じて、半透膜供給ラインを通じて半透膜モジュールに送液する水道水の量を制御する
ことを特徴とする浄水装置の運転方法。
【発明の効果】
【０００９】
本発明にかかる浄水装置によれば、安全で高品位の水を安定的に供給することができ、かつ、送液ポンプの機械的な負荷を軽減でき、ＲＯ膜面積を抑えることができる。
【図面の簡単な説明】
【００１０】
【図１】図１に本発明の半透膜モジュールを用いた水道水の浄水装置のフロー図を示す。
【図２】図２に本発明の濁質除去装置および吸着ユニットを備えた半透膜モジュールを用いた水道水の浄水装置のフロー図を示す。
【発明を実施するための形態】
【００１１】
以下、本発明をさらに詳細に説明する。
【００１２】
図１は、本発明の造水方法を実施するための造水装置の一例を示す概略図である。
（１）半透膜モジュール
図１に示す処理方法では、水道水を半透膜モジュール１に流入させる半透膜モジュール供給ライン２を備える。ここで、半透膜とは、溶液中の一部の成分、例えば溶媒を透過させ他の成分を透過させない半透性の膜である。半透膜の一例としてナノろ過（ＮＦ）膜や逆浸透（ＲＯ）膜が挙げられる。
【００１３】
ＮＦ膜およびＲＯ膜は、処理対象である水の中に含まれる溶質を、再生水として利用可能な濃度まで低減することができる性能を有する。具体的には、ＮＦ膜およびＲＯ膜は、塩分やミネラル成分等、多種のイオン、例えばカルシウムイオン、マグネシウムイオン、硫酸イオンのような二価イオンや、ナトリウムイオン、カリウムイオン、塩素イオンのような一価イオン、また、フミン酸（分子量Ｍｗ≧１００，０００）、フルボ酸（分子量Ｍｗ＝１００〜１，０００）、アルコール、エーテル、糖類などをはじめとする溶解性有機物を分離する性能を有する。
【００１４】
半透膜は耐塩素性を有することが望ましい。これにより、半透膜処理する前に塩素を除去する必要がなくなり、処理水供給ラインまで塩素の含有する水が流れるため、バイオファウリングを抑制することができる。半透膜の前で塩素を取り除いた場合、半透膜内部および処理水供給ラインでバイオファウリングなどの汚れが発生する可能性があるが、供給ラインの洗浄、また殺菌剤や酸化剤などの薬剤を添加するなどして、供給ラインの汚れを低減または抑制することができる。
【００１５】
ＮＦ膜は、特に限定されないが、操作圧力が１．５ＭＰａ以下、分画分子量が２００から１，０００で、塩化ナトリウムの阻止率９０％以下のろ過膜と定義される場合がある。それよりも分画分子量の小さく、高い阻止性能を有するものがＲＯ膜である。また、ＲＯ膜でもＮＦ膜に近いものはルースＲＯ膜とも呼ばれる。
使用される膜の形状、様式については特に限定されることはなく、平膜、中空糸膜、管状型膜、その他いかなる形状のものも適宜用いることができる。
（２）半透膜モジュールの処理水の供給
半透膜で処理された水は処理水供給ライン４より蛇口１５へ供給される。蛇口１５での半透膜モジュール１の処理水の使用量が少ない場合は、第１送液ラインバルブ１１を開として、第１送液ライン９のみにて水道水を半透膜モジュール１に供給する。
このとき、第２送液ラインバルブ１２は閉止し、送液制御手段（送液ポンプ）１３は停止しており、第２送液ライン１０から半透膜モジュール１へは水道水は供給しなくとも良い。送液制御手段（送液ポンプ）１３の機械的な保護の観点から、送液制御手段（送液ポンプ）１３のラインでは、電磁バルブなどを設けて水を通過させないことでも良い。送液制御手段（送液ポンプ）１３については詳細を後ほど述べる。
ここで、送液制御手段（送液ポンプ）１３が停止しているとき、第２送液ラインバルブ１２を開とし、送液制御手段（送液ポンプ）１３の空隙を通して水道水を供給しても良い。
【００１６】
一方、蛇口１５での半透膜モジュール１の処理水の使用量が多い場合は、第１送液ラインバルブ１１を閉として、第１送液ライン９から半透膜モジュール１へは水道水は供給されない。第２送液ラインバルブ１２を開とし、送液制御手段（送液ポンプ）１３を稼動させて、半透膜モジュール１への供給圧を高めて、水道水を供給する。
【００１７】
この様な構成とすることで、送液制御手段（送液ポンプ）１３を有しないで第１送液ライン９のみの場合よりも、半透膜モジュール１の膜面積を抑えることができる。さらに、送液制御手段（送液ポンプ）１３を有する第２送液ライン１０のみの場合よりも、送液ポンプ１３の稼動/停止の頻度を、抑制することができ、送液制御手段（送液ポンプ）１３への機械的な負荷を低減できるメリットを有する。
【００１８】
なお、半透膜モジュール１への送液ラインが一つであり、すなわち第２送液ラインのみの形態でも良い。第２送液ラインのみの形態では、蛇口１５での半透膜モジュール１の処理水の使用量が少ない場合は、送液制御手段（送液ポンプ）１３は停止したままで、第２送液ラインで半透膜モジュール１へ水を供給する。この構成で、蛇口１５での半透膜モジュール１の処理水の使用量が多い場合は、送液制御手段（送液ポンプ）１３を稼動させることで、前記と同様の効果を得ることができる。この第２送液ラインのみの形態の場合、送液制御手段を停止したまま水を供給するので、送液制御手段に送液ポンプを使用する場合、例えばギアポンプでは送液が困難であったり、また他のポンプ様式でもポンプに機械的な負荷をかけることがあるため、ポンプ様式の選定をする必要がある。
また以上の様に蛇口１５での半透膜処理水量が多い場合は、半透膜モジュール１への送液圧を高めて、半透膜モジュール１の処理量を増やすため、前述の送液制御手段（送液ポンプ）１３を稼動させる他、例えば、第２送液ラインに高所に設置したタンクからの水が供給される様にしても良い。また、加圧空気でタンク内の水を高い圧力で押し出しても良い。これらの送液制御手段については後述する。
（３）圧力、流量の制御手段
ここで、半透膜モジュール１への供給水量が十分であるか、不足しているかは、例えば圧力計または／および流量計により判断することができる。図１では、処理水供給ライン４に圧力計５および流量計６を設置している。これらの圧力計および／または流量計を用いて、設定の圧力および／または流量になるように、圧力および／または流量制御手段にて制御を行う。
【００１９】
圧力および／または流量の制御については、例えば、水を送液する送液制御手段（送液ポンプ）１３を用いる場合は、送液制御手段（送液ポンプ）１３の出力を増減することにより、圧力および／または流量を制御することができる。または、水を送液する送液制御手段（送液ポンプ）１３の２次側にコントロールバルブを設けて、コントロールバルブの開度を増減することで、圧力および／または流量を制御することができる。
蛇口１５からの半透膜モジュール１の処理水の使用量が無い場合は、圧力計５は半透膜モジュールの透過側にかかっている圧力を示し、また流量計６は処理水供給ライン４などに水漏れなどがなければ流量はゼロを示す。
ここで、蛇口１５からの半透膜モジュール１の処理水の使用量が増加すると、蛇口１５から放圧して水を供給することになるため、半透膜モジュール１の透過側にかかっている圧力が低下、圧力計５の指示値が低下する。また処理水供給ライン４で流れが発生するので、流量計６の指示値が上昇する。
【００２０】
図１では、この圧力計５および／または流量計６の指示値がある設定値以下の場合は、
第１送液ライン９で水道水を供給する。圧力計５および／または流量計６の指示値がある
設定値を越える、蛇口１５での半透膜モジュール１の処理水の使用量がさらに増加する場
合は、水道水の供給を第１送液ライン９から第２送液ライン１０に切り替えて、送液制御
手段（送液ポンプ）１３を用いて水道水を供給する。送液制御手段（送液ポンプ）１３を
用いて半透膜モジュール１への水道水供給圧を高めることにより、同じ半透膜モジュール
１の膜面積でも供給水量を増やすことができる。
【００２１】
圧力計５および／または流量計６の設定値については、蛇口１５からの半透膜モジュー
ル１の処理水量が設定量以上を確保できる様に設定する。
半透膜モジュール供給ラインに圧力計５または／および流量計６を設置することもできる。半透膜モジュール１の処理水量が設定以上になったら、送液制御手段（送液ポンプ）１３を稼動させて、半透膜モジュール１への供給圧を高めて、半透膜モジュール１の処理水量を増やすことができる。
【００２２】
また、除濁装置１７の１次側（被ろ過側）に圧力計５または／および流量計６を設置することもできる。半透膜モジュール１の処理水量が設定以上になったら、送液制御手段（送液ポンプ）１３を稼動させて、半透膜モジュール１への供給圧を高めて、半透膜モジュール１の処理水量を増やすことができる。除濁装置１７については後述する。
【００２３】
また、第２送液ラインは、除濁装置１７の１次側（被ろ過側）に設置することもできる。半透膜モジュール１の処理水量が設定以上になったら、送液制御手段（送液ポンプ）１３を稼動させて、除濁装置１７および半透膜モジュール１への供給圧を高めて、半透膜モジュール１の処理水量を増やすことができる。
また、除濁装置１７および／または半透膜モジュール１へ水道水を供給する際に、除濁装置１７および／または半透膜モジュール１へ供給する水道水、および／または除濁装置１７の処理水の水質により、送液制御手段（送液ポンプ）１３を稼動するか決めても良い。
除濁装置１７および／または半透膜モジュール１へ供給する水質が悪い場合は、半透膜モジュール１の処理水量が低下する可能性があるが、送液制御手段（送液ポンプ）１３を稼動して、除濁装置１７および／または半透膜モジュール１の処理量を確保することができる。
水質は一般的な水質測定の指標、装置を使用することができる。例えば、電導度を測定することにより、水道水中の金属イオンなどの総量を求めることができる。また濁度計により、水道水中の濁質量を求めることができる。
（４）送液制御手段
半透膜モジュール１への水の供給については、送液制御手段（送液ポンプ）１３にて行うことができる。送液の制御については、例えば、水を送液する送液制御手段（送液ポンプ）１３を用いる場合は、送液制御手段（送液ポンプ）１３の出力を増減することにより、送液を制御することができる。または、水を送液する送液制御手段（送液ポンプ）１３の２次側にコントロールバルブを設けて、コントロールバルブの開度を増減することで、送液を制御することができる。
送液制御手段には送液ポンプを使用することができる。送液ポンプの形式は特に制限は無く、遠心ポンプ、ギアポンプ、ダイアフラムポンプなどが使用可能である。半透膜モジュールのろ過ができるような、送液圧力を保持可能であることが必要である。
送液制御手段については、送液ポンプの他、例えば、第２送液ラインに高所に設置したタンクからの水が供給される様にしても良い。また、加圧空気でタンク内の水を高い圧力で押し出しても良い。
【００２４】
本願の様な半透膜モジュールを用いた水を供給する装置では、蛇口１５からの半透膜モジュール処理水量が、想定される最大量にも対応できるように、半透膜モジュールの膜面積を確保する必要がある。
たとえば日本国内では、水道圧は水道法で定められており、水道主管の圧力は、０．１５ＭＰａ以上、０．７５ＭＰａ以下と定められている。通常の水道水の供給圧力は、０．２〜０．４ＭＰａ程度であるが、この圧力で半透膜モジュール１へ水道水を供給しても、半透膜モジュール処理水量は限られた量となる。
例えば、膜面積７ｍ２の半透膜モジュールで、水道圧（０．１５ＭＰａ）でろ過をし、単位膜面積あたりの処理水量０．２ｍ３／ｍ２／ｄで処理する場合、約１Ｌ／分の処理水を得ることができる。例えば、蛇口１５から少量水を使用する場合は、上述の水量で足りることもある。
一方、風呂に水を貯める、料理で水を使用する、などの、送液制御手段（送液ポンプ）１３を用いて、水道圧を越える圧力で半透膜モジュール１へ水道水を供給する場合、同じ半透膜モジュール１の膜面積でも半透膜モジュール１の処理水量を増やすことができ、必要な半透膜モジュール１の膜面積を小さくすることができ、装置の小型化、設備費の低減することができる。
【００２５】
例えば、処理水供給ラインの水圧を圧力計５および／または流量計６で測定し、一定の圧力および／または流量よりも低下した場合、所定の圧力および／または流量になるように、圧力および／または流量制御手段１４にて制御を行う。この制御により、送液制御手段（送液ポンプ）１３を稼動させ、第２送液ラインバルブを開として、半透膜モジュールへの供給圧力を高めて、透過水量を増やすことにより、不足分を補うことができる。
【００２６】
以上の様なケースについて、集合住宅を想定したシステムでは、各家庭で、洗濯や風呂への給水・シャワーなど一時的に水を大量に使用する場合、水量が不足する場合が考えられるが、本願の技術を用いることにより、膜面積を抑えることができる。
【００２７】
なお、半透膜処理で発生する濃縮水は、トイレの水洗や清掃の水、非常用水として活用することが可能である。
【００２８】
本願は半透膜モジュール１の処理水供給が、水道圧で膜ろ過できる水量より少ない場合は、送液制御手段（送液ポンプ）１３を稼動する必要がないため、送液制御手段（送液ポンプ）１３の機械的負荷および運転コストを低減することができる。
【００２９】
ここで、除濁装置１７と半透膜モジュール１の処理水量について、前記除濁装置１７の処理水量Ｘと半透膜モジュール１の処理水量Ｙの比（Ｘ／Ｙ）は、特に制限は無いが、１以上１０以下であることが好ましい。さらに好ましくは、１．０１以上４以下であることが好ましい。
なお、除濁装置１７の処理水量Xと半透膜モジュール１の処理水量Yは、膜洗浄などで運転を休止する際の値は除き、ろ過工程の水量にて求めることができる。
以上の通り、本願の浄水装置は、浄水場や地下水などの水源から送水された水道水を取り込み、該水道水を一または複数の水道供給口へ供給するにあたり、該水道水を半透膜供給ラインを通じて半透膜モジュールに供給し、半透膜モジュールによって処理水と濃縮水とに分離し、半透膜モジュールの処理水を処理水供給ラインを通じて蛇口へ供給し、処理水の流量および／または処理水供給ラインの圧力に応じて、半透膜供給ラインおよび／または半透膜処理水ラインの送液圧および／または送液流量を制御し、処理水の使用水量に応じて、半透膜供給ラインを通じて半透膜モジュールに送液する水道水の量を制御する。
または、該水道水を半透膜供給ラインを通じて半透膜モジュールに供給し、半透膜モジュールによって処理水と濃縮水とに分離し、半透膜モジュールの処理水を処理水供給ラインを通じて蛇口へ供給し、水道水および／または処理水の水質に応じて、半透膜供給ラインおよび／または半透膜処理水ラインの送液圧および／または送液流量を制御し、処理水の使用水量に応じて、半透膜供給ラインを通じて半透膜モジュールに送液する水道水の量を制御する。
（５）吸着装置
図２は、蛇口の１次側に吸着装置１８を備える。これにより、半透膜モジュール１の処理水に含まれる臭いや残留塩素、塩素系化合物、フッ素系化合物、有機物等を除去することができる。吸着装置１８は臭いや残留塩素、塩素系化合物、フッ素系化合物、有機物等の吸着に適したものであれば特に限定するものではないが、例えば活性炭、亜硫酸カルシウム、ゼオライト、その他高分子系吸着剤などを用いることができる。また、これら吸着剤を複数種組み合わせて使用することも可能である。吸着剤の１つとして例えば活性炭を用いると、長期間の使用でも残留塩素除去性能が持続できつつ、有機物や臭いの吸着ができ、安価に入手できる点で好適である。活性炭の原料としては、椰子殻、フェノール樹脂、木炭等が挙げられる。
【００３０】
ここで、塩素を除去するとバイオファウリングが生ずるため、吸着装置１８はなるべく蛇口の直前で設置することが望ましい。
（６）除濁装置
また図２は、半透膜モジュール１の前に除濁装置１７を有する。これにより、水道水中に含まれる濁質が除去され、半透膜モジュール１を長期間安定して運転することが可能となる。
【００３１】
当該除濁装置１７は濁質を除去する機能を有すれば特に方式を限定しないが、砂ろ過、フィルター、ＭＦ膜、ＵＦ膜などが例示され、これらから１つを選出する、もしくは２以上を組み合わせるなどが好適に利用される。
特に、ＵＦ膜やＭＦ膜は、濁質除去性能、維持管理容易性および安定性に優れるため好ましい。使用される膜については特に限定されることはなく、平膜、中空糸膜、管状型膜、その他いかなる形状のものも適宜用いることができる。膜の素材については、特に限定しないが、ポリアクリロニトリル、ポリフェニレンスルフォン、ポリフェニレンスルフィドスルフォン、ポリフッ化ビニリデン、ポリプロピレン、ポリエチレン、ポリスルホン、ポリビニルアルコール、酢酸セルロースや、セラミック等の無機素材からなる群から選ばれる少なくとも１種を含んでいると好ましい。
【００３２】
特に中空糸膜は、単位装置面積当たりの膜面積を大きくとれるなどのメリットがあり好ましく用いることができる。中空糸膜モジュールについて、全量ろ過やクロスフローろ過などのろ過方式を採用することができるが、中空糸膜モジュールに堆積した濁質を効果的に除去するため、水などによるフラッシングや膜の透過側から原液側に液を通液する逆圧洗浄、空気洗浄を採用することができる。この際、流体線速度を高くすると洗浄効果を向上させることができるが、一方で膜切れの懸念も発生する。そのため、膜は高強度であることが好ましい。中空糸膜の膜強度は好ましくは４．９Ｎ以上であり、さらに好ましくは９．８Ｎ以上である。
【符号の説明】
【００３３】
１  半透膜モジュール
２  半透膜供給ライン
３  濃縮水供給ライン
４  処理水供給ライン
５  圧力計
６  流量計
７  第１分岐部
８  第２分岐部
９  第１送液ライン
１０  第２送液ライン
１１  第１送液ラインバルブ
１２  第２送液ラインバルブ
１３  送液制御手段（送液ポンプ）
１４  圧力・流量制御手段
１５  蛇口
１６  逆止弁
１７  除濁装置
１８  吸着装置
【図１】
2017042740.tif 000003
【図２】
2017042740.tif 000004